(57)【特許請求の範囲】
【請求項１】
受光素子または発光素子の少なくとも何れかの機能を有する光学素子と、前記光学素子を収納するケースと、を有する光学モジュールと、
前記光学モジュールを収納し、前記光学モジュールと離間して対面する位置に配置され赤外線、紫外線または可視光線の少なくとも何れかを透過する透光窓を有する筐体と、
前記筐体に収納され、絶縁性基材と、前記絶縁性基材に形成されるコイル導体とを有するアンテナ装置と、を備え、
前記筐体と前記ケースとの間には少なくとも前記絶縁性基材が挟持され、
前記筐体は前記透光窓の周囲に環状導電性部材を有し、
前記環状導電性部材の巻回軸方向に平面視した場合に、前記コイル導体と前記環状導電性部材とは重ならない位置に設けられている、電子機器。
【請求項２】
前記アンテナ装置は磁性部材を有し、
前記筐体と前記ケースとの間には少なくとも前記絶縁性基材および前記磁性部材が挟持される、請求項１に記載の電子機器。
【請求項３】
前記光学素子はイメージセンサであり、
前記光学モジュールはカメラモジュールであり、
前記カメラモジュールは、前記ケース内に収納されるレンズと、前記ケース内に収納され、前記レンズを稼動させるアクチュエータと、を有し、
前記アンテナ装置は前記レンズの光軸の周囲に配置される、請求項１または２に記載の電子機器。
【請求項４】
前記アンテナ装置のうち前記筐体と前記ケースとの間に挟持される部分は、前記筐体より低いヤング率を有する、請求項１から３の何れかに記載の電子機器。
【請求項５】
前記アンテナ装置は前記コイル導体に接続されない、または１箇所のみ接続される電極を有し、
前記環状導電性部材の巻回軸方向に平面視した場合に、前記電極と前記環状導電性部材とは重なる位置に設けられている、請求項１から４の何れかに記載の電子機器。
【請求項６】
前記環状導電性部材には、前記環状導電性部材の外縁から内縁に達する切れ込みがある、請求項１から５の何れかに記載の電子機器。
【請求項７】
前記筐体に収納され、前記アンテナ装置と少なくとも磁界を介して結合する結合コイルを備える、請求項１から６の何れかに記載の電子機器。
【請求項８】
受光素子または発光素子の少なくとも何れかの機能を有する光学素子と、前記光学素子を収納するケースと、を有する光学モジュールと、
前記光学モジュールを収納し、前記光学モジュールと離間して対面する位置に配置され赤外線、紫外線または可視光線の少なくとも何れかを透過する透光窓を有する筐体と、
前記筐体に収納され、絶縁性基材と、前記絶縁性基材に形成されるコイル導体とを有するアンテナ装置と、を備え、
前記筐体と前記ケースとの間には少なくとも前記絶縁性基材が挟持され、
前記筐体は前記透光窓の周囲に環状導電性部材を有し、
前記環状導電性部材には、前記環状導電性部材の外縁から内縁に達する切れ込みがあり、
前記ケースは導電性を有し、
前記環状導電性部材の巻回軸方向に平面視した場合に、前記アンテナ装置は、前記環状導電性部材と重なる位置に設けられた磁性部材を有する、電子機器。
【請求項９】
受光素子または発光素子の少なくとも何れかの機能を有する光学素子と、前記光学素子を収納するケースと、を有する光学モジュールと、
前記光学モジュールを収納し、前記光学モジュールと離間して対面する位置に配置され赤外線、紫外線または可視光線の少なくとも何れかを透過する透光窓を有する筐体と、
前記筐体に収納され、コイル導体および磁性部材を有するアンテナ装置と、を備え、
前記筐体と前記ケースとの間には少なくとも前記磁性部材が挟持され、
前記筐体は前記透光窓の周囲に環状導電性部材を有し、
前記環状導電性部材には、前記環状導電性部材の外縁から内縁に達する切れ込みがあり、
前記ケースは導電性を有し、
前記環状導電性部材の巻回軸方向に平面視した場合に、前記磁性部材は前記環状導電性部材と重なる位置に設けられている、電子機器。
【発明の詳細な説明】
【技術分野】
【０００１】
本発明は、光学モジュールおよびアンテナ装置が組み込まれた電子機器に関するものである。
【背景技術】
【０００２】
近年、スマートフォン等の電子機器には、カメラモジュール、アンテナ装置等の多数の部品が組み込まれる。従来、そのような電子機器として、例えば、特許文献１に記載のものがある。この電子機器は、カメラモジュール、給電コイルおよび金属筐体を備える。カメラモジュールは、レンズ、およびレンズによる結像を電気信号に変換するイメージセンサを有し、金属筐体に形成された開口部からレンズが露出するように、金属筐体に設けられる。給電コイルは、レンズの光軸方向において、イメージセンサとレンズとの間のスペースに配置される。この給電コイルが金属筐体と磁界結合し、金属筐体が通信用の放射素子として作用する。
【０００３】
上記カメラモジュールは、電子機器の筐体内の回路基板に接続されるので、機構上は電子機器の筐体内の部材に設けられることが多い。
【先行技術文献】
【特許文献】
【０００４】
【特許文献１】国際公開第２０１５／０４１０６６号
【発明の概要】
【発明が解決しようとする課題】
【０００５】
カメラモジュールが電気機器の筐体から離れて配置される場合、カメラモジュールのレンズ等に埃等の異物が付着することがある。
【０００６】
本発明の目的は、光学モジュールの表面に埃等の異物が付着しにくい、光学モジュールおよびアンテナ装置が組み込まれた電子機器を提供することにある。
【課題を解決するための手段】
【０００７】
（１）本発明の第１の電子機器は、光学モジュール、筐体およびアンテナ装置を備える。光学モジュールは、受光素子または発光素子の少なくとも何れかの機能を有する光学素子と、光学素子を収納するケースと、を有する。筐体は、光学モジュールを収納し、光学モジュールと離間して対面する位置に配置され赤外線、紫外線または可視光線の少なくとも何れかを透過する透光窓を有する。アンテナ装置は、筐体に収納され、絶縁性基材と、絶縁性基材に形成されるコイル導体とを有する。筐体とケースとの間には少なくとも絶縁性基材が挟持される。筐体は透光窓の周囲に環状導電性部材を有する。環状導電性部材の巻回軸方向に平面視した場合に、コイル導体と環状導電性部材とは重ならない位置に設けられている。
【０００９】
（２）第１の電子機器において、アンテナ装置は磁性部材を有し、筐体とケースとの間には少なくとも絶縁性基材および磁性部材が挟持されてもよい。
【００１０】
（１）および（２）の構成では、透光窓と光学モジュールとの間の空間と、その外部との間にアンテナ装置の構成部材が配置されるので、透光窓と光学モジュールとの間の空間に埃等の異物が侵入しにくくなる。このため、透光窓や光学モジュールの表面に埃等の異物が付着することを抑制できる。また、透光窓と光学モジュールとの間の空間への異物の侵入を防ぐためのシール部材を別途用意する必要がないので、部品数を低減できる。また、シール部材を別途設ける場合でも、シール部材のサイズが小さくなるので、コストを低減できる。また、筐体とケースとの間にアンテナ装置が配置されるので、電子機器を小型化や薄型化できる。
また、この構成では、透光窓の周囲を装飾できる。
さらに、この構成では、筐体とケースとの間にコイル導体が挟持されない。このため、環状導電性部材と光学モジュールとの距離が短くなるので、環状導電性部材が鍔等によりある程度厚みを有しても、電子機器を薄型化できる。また、コイル導体と環状導電性部材が平面視で重なるとアンテナ装置の特性が劣化する。上述の構成ではアンテナ装置の特性劣化を抑制できる。
【００１１】
（３）本発明の第１の電子機器は次のように構成されてもよい。光学素子はイメージセンサである。光学モジュールはカメラモジュールである。カメラモジュールは、ケース内に収納されるレンズと、ケース内に収納され、レンズを稼動させるアクチュエータと、を有する。アンテナ装置はレンズの光軸の周囲に配置される。この構成では、カメラモジュールのレンズに埃等の異物が付着することを抑制できる。
【００１２】
（４）第１の電子機器において、アンテナ装置のうち筐体とケースとの間に挟持される部分は、筐体より低いヤング率を有することが好ましい。この構成によれば、アンテナ装置がある程度クッション性を有するので、透光窓と光学モジュールとの間の空間の密閉性を高くできる。
【００１５】
（５）第１の電子機器において、アンテナ装置はコイル導体に接続されない、または１箇所のみ接続される電極を有し、環状導電性部材の巻回軸方向に平面視した場合に、電極と環状導電性部材とは重なる位置に設けられてもよい。この構成では、アンテナ装置を筐体内に実装したときに、環状導電性部材によりアンテナ装置の周波数特性等が変動することを抑制できる。
【００１６】
（６）第１の電子機器において、環状導電性部材には、環状導電性部材の外縁から内縁に達する切れ込みがあってもよい。この構成では、アンテナ装置を使用する際、環状導電性部材に渦電流が流れない。このため、環状導電性部材から不要磁界が発生しないので、コイル導体が生成する磁界の広がりが阻害されない。従って、アンテナ装置の実効的なアンテナ開口が広くなる。
【００１７】
（７）第１の電子機器は、筐体に収納され、アンテナ装置と少なくとも磁界を介して結合する結合コイルを備えてもよい。この構成では、磁界を介してアンテナ装置に給電できる。この構成は、例えば、アンテナ装置と給電回路とをコンタクトプローブで接続できない場合に有用である。
【００１８】
（８）本発明の第２の電子機器は、光学モジュール、筐体およびアンテナ装置を備える。光学モジュールは、受光素子または発光素子の少なくとも何れかの機能を有する光学素子と、光学素子を収納するケースと、を有する。筐体は、光学モジュールを収納し、光学モジュールと離間して対面する位置に配置され赤外線、紫外線または可視光線の少なくとも何れかを透過する透光窓を有する。アンテナ装置は、筐体に収納され、絶縁性基材と、絶縁性基材に形成されるコイル導体とを有する。筐体とケースとの間には少なくとも絶縁性基材が挟持される。筐体は透光窓の周囲に環状導電性部材を有し、環状導電性部材には、環状導電性部材の外縁から内縁に達する切れ込みがあり、ケースは導電性を有し、環状導電性部材の巻回軸方向に平面視した場合に、アンテナ装置は、環状導電性部材と重なる位置に設けられた磁性部材を有する。
【００１９】
（９）本発明の第３の電子機器は、光学モジュール、筐体およびアンテナ装置を備える。光学モジュールは、受光素子または発光素子の少なくとも何れかの機能を有する光学素子と、光学素子を収納するケースと、を有する。筐体は、光学モジュールを収納し、光学モジュールと離間して対面する位置に配置され赤外線、紫外線または可視光線の少なくとも何れかを透過する透光窓を有する。アンテナ装置は、筐体に収納され、コイル導体および磁性部材を有する。筐体とケースとの間には少なくとも磁性部材が挟持される。筐体は透光窓の周囲に環状導電性部材を有し、環状導電性部材には、環状導電性部材の外縁から内縁に達する切れ込みがあり、ケースは導電性を有し、環状導電性部材の巻回軸方向に平面視した場合に、磁性部材は環状導電性部材と重なる位置に設けられている。
【００２０】
（８）および（９）の構成では、透光窓と光学モジュールとの間の空間と、その外部との間にアンテナ装置の構成部材が配置されるので、透光窓と光学モジュールとの間の空間に埃等の異物が侵入しにくくなる。このため、透光窓や光学モジュールの表面に埃等の異物が付着することを抑制できる。また、透光窓と光学モジュールとの間の空間への異物の侵入を防ぐためのシール部材を別途用意する必要がないので、部品数を低減できる。また、シール部材を別途設ける場合でも、シール部材のサイズが小さくなるので、コストを低減できる。また、筐体とケースとの間にアンテナ装置が配置されるので、電子機器を小型化や薄型化できる。
さらに、アンテナ装置の使用時において、環状導電性部材の開口部を通ってケースに向かう磁界が抑制されるので、ケースに渦電流が流れて電力損失が生じることを抑制できる。
【発明の効果】
【００２１】
本発明によれば、光学モジュールの表面に埃等の異物が付着しにくくできる。
【図面の簡単な説明】
【００２２】
【図１】図１は第１の実施形態に係る電子機器１０の模式的断面図である。
【図２】図２は第２の実施形態に係る電子機器２０の模式的断面図である。
【図３】図３は第２の実施形態の変形例に係る電子機器３０の模式的断面図である。
【図４】図４は第３の実施形態に係る電子機器４０の模式的断面図である。
【図５】図５は第４の実施形態に係る電子機器５０の模式的断面図である。
【図６】図６は第５の実施形態に係る電子機器６０の模式的断面図である。
【図７】図７（Ａ）は第６の実施形態に係る電子機器７０の模式的断面図である。図７（Ｂ）は第６の実施形態に係るメタルリング７１３の模式的平面図である。
【図８】図８は第６の実施形態の変形例に係る電子機器８０の模式的断面図である。
【図９】図９（Ａ）は第７の実施形態に係る電子機器９０の模式的平面図である。図９（Ｂ）は第７の実施形態に係る電子機器９０の模式的Ａ−Ａ断面図である。
【図１０】図１０（Ａ）は第７の実施形態の変形例に係る電子機器１００の模式的平面図である。図１０（Ｂ）は第７の実施形態の変形例に係る電子機器１００の模式的Ａ−Ａ断面図である。
【発明を実施するための形態】
【００２３】
以降、図を参照して幾つかの具体的な例を挙げて、本発明を実施するための複数の形態を示す。各図中には同一箇所に同一符号を付している。要点の説明または理解の容易性を考慮して、便宜上実施形態を分けて示すが、異なる実施形態で示した構成の部分的な置換または組み合わせが可能である。第２および第３の実施形態では第１の実施形態と共通の事柄についての記述を省略し、異なる点についてのみ説明する。第４の実施形態以降では第３の実施形態と共通の事柄についての記述を省略し、異なる点についてのみ説明する。特に、同様の構成による同様の作用効果については実施形態毎には逐次言及しない。
【００２４】
《第１の実施形態》
図１は第１の実施形態に係る電子機器１０の模式的断面図である。なお、図１では、カメラモジュール１２のケース１２５内の構成部材に関しては、その側面を図示している。電子機器１０は、例えばスマートフォンであるが、フィーチャーフォン等の携帯電話、PDA、スマートグラスやスマートウォッチ等のウェアラブル端末、ノートPC、タブレット端末、カメラ、ゲーム機、玩具等でもよい。電子機器１０は、筐体１１、カメラモジュール１２およびアンテナ装置１３を備える。カメラモジュール１２は本発明の「光学モジュール」の一例である。カメラモジュール１２およびアンテナ装置１３は筐体１１内に収納される。
【００２５】
筐体１１は本体部およびカバーガラス１１２を有する。筐体１１の本体部は、上面部１１１、下面部および４つの側面部（共に図示せず）が一体化してなる。カバーガラス１１２は筐体１１の上面部１１１に設けられる。カバーガラス１１２は本発明の「透光窓」の一例である。カメラモジュール１２は略直方体状である。カメラモジュール１２の上面にはレンズ１２３が設けられる。カメラモジュール１２は、カバーガラス１１２とレンズ１２３とが対向するように配置される。アンテナ装置１３は略平板状である。アンテナ装置１３は、その主面が筐体１１の上面部１１１の主面と平行になるように配置される。アンテナ装置１３は筐体１１の上面部１１１の内側面に貼付される。アンテナ装置１３は筐体１１の上面部１１１とカメラモジュール１２との間に挟持される。アンテナ装置１３は筐体１１の上面部１１１とカメラモジュール１２とを接続する。アンテナ装置１３はレンズ１２３の光軸の周囲に配置される。カバーガラス１１２とレンズ１２３との間の空間１４はアンテナ装置１３により略密閉される。
【００２６】
筐体１１の上面部１１１には、開口面が略円形状である開口部が形成される。カバーガラス１１２は筐体１１の上面部１１１の開口部に配置される。カバーガラス１１２は、カメラモジュール１２と離間して対面する位置に配置される。カバーガラス１１２は平面視で（上面部１１１の主面の法線方向から見て）カメラモジュール１２内に配置される。カバーガラス１１２は略平板状である。カバーガラス１１２の主面は略円形状である。カバーガラス１１２は可視光線を透過する。筐体１１は、筐体１１の上面部１１１に設けられる装飾用のメタルリング１１３を有する。メタルリング１１３は、環状導電性部材であり、平面視でカバーガラス１１２の周囲に配置される。メタルリング１１３の巻回軸方向は上面部１１１の主面の法線方向と略同一である。メタルリング１１３の外側の端面は上面部１１１の開口部の端面に当接する。メタルリング１１３の内側の端面はカバーガラス１１２の端面に当接する。カバーガラス１１２およびメタルリング１１３は上面部１１１の開口部を塞ぐように配置される。筐体１１の上面部１１１、カバーガラス１１２およびメタルリング１１３の主面は略同一平面上に位置する。
【００２７】
カメラモジュール１２は、センサ基材１２１、イメージセンサ１２２、レンズ１２３、ケース１２５および駆動用コイル１２６を有する。イメージセンサ１２２は本発明の「光学素子」の一例である。センサ基材１２１は、その主面が筐体１１の上面部１１１の主面と平行になるように配置される。イメージセンサ１２２はセンサ基材１２１の上面に実装される。イメージセンサ１２２は、レンズ１２３による結像を電気信号に変換する。イメージセンサ１２２は受光素子の機能を有する。イメージセンサ１２２は、例えばＣＭＯＳイメージセンサ等である。レンズ１２３は、イメージセンサ１２２と対向するように、カバーガラス１１２とイメージセンサ１２２との間に配置される。レンズ１２３は平面視でカバーガラス１１２内に配置される。レンズ１２３は、レンズ１２３の光軸方向に変位自在なレンズホルダーに支持される。
【００２８】
ケース１２５は、略箱状であり、上面部および４つの側面部を有する。ケース１２５はセンサ基材１２１の上面に配置される。ケース１２５は、イメージセンサ１２２、レンズ１２３、駆動用コイル１２６、レンズホルダー等を収納する。ケース１２５の上面部には、レンズ１２３が露出するように開口部が形成される。ケース１２５は、導電性部材で構成されてもよいし、絶縁性部材で構成されてもよい。ケース１２５はヨークや電磁シールドとしての機能を兼ね備えてもよい。駆動用コイル１２６はケース１２５の内側面に配置される。駆動用コイル１２６は、レンズホルダーに設けられる駆動用マグネット（図示せず）とともに、アクチュエータを構成する。アクチュエータはケース１２５内に収納される。アクチュエータは、駆動用コイル１２６と駆動用マグネットとの間に磁力を働かせることで、レンズ１２３およびレンズホルダーを変位（稼動）させる。アクチュエータは、例えば、ＶＣＭ（Voice Coil Motor）アクチュエータ等であり、オートフォーカス機能に用いられる。
【００２９】
なお、カメラモジュール１２はさらにホール素子、センサ用マグネット（共に図示せず）等を有する。ホール素子はケース１２５の内側面に配置される。センサ用マグネットはレンズホルダーに配置される。ホール素子は、センサ用マグネットが発生させる磁界に応じた電気信号を出力する。カメラモジュール１２は、ホール素子の出力信号に基づいてレンズ１２３の位置を検出し、レンズ１２３の検出位置および目標位置に基づいてアクチュエータによりレンズ１２３を変位させることで、レンズ１２３の位置をフィードバック制御する。
【００３０】
アンテナ装置１３は貫通孔を有する。アンテナ装置１３の貫通孔の形状は、平面視でカバーガラス１１２の形状に略一致する。アンテナ装置１３の貫通孔内の空間は空間１４に相当する。アンテナ装置１３のうち筐体１１とケース１２５との間に挟持される部分は、上面部１１１の主面に垂直な方向において、筐体１１のうちケース１２５とともにアンテナ装置１３を挟持する部分より低いヤング率を有する。アンテナ装置１３のうち筐体１１とケース１２５との間に挟持される部分は、クッション性を有する。アンテナ装置１３は、アンテナ装置１３に応力が生じた状態で、筐体１１とケース１２５との間に挟持される。アンテナ装置１３は筐体１１とケース１２５とで挟持されることで弾性変形する。
【００３１】
アンテナ装置１３は、コイル基材１３１、コイル導体１３２、保護部材１３３、磁性部材１３４および粘着部材１３５が積層されてなる。コイル基材１３１は本発明の「絶縁性基材」の一例である。コイル基材１３１、保護部材１３３、磁性部材１３４および粘着部材１３５の形状は、平面視で互いに一致し、アンテナ装置１３の外形形状を定める。アンテナ装置１３の貫通孔は、コイル基材１３１、保護部材１３３、磁性部材１３４および粘着部材１３５に形成された開口部が連接することで構成される。コイル基材１３１、コイル導体１３２、保護部材１３３、磁性部材１３４および粘着部材１３５は、筐体１１の上面部１１１とケース１２５との間に挟持される。即ち、筐体１１の上面部１１１とケース１２５との間には、アンテナ装置１３の全ての構成部材が挟持される。コイル基材１３１、コイル導体１３２、保護部材１３３、磁性部材１３４および粘着部材１３５の少なくとも何れかは、上面部１１１の主面に垂直な方向において、筐体１１のうちアンテナ装置１３を挟持する部分より低いヤング率を有する。
【００３２】
コイル基材１３１は、その主面が筐体１１の上面部１１１の主面と平行になるように配置される。コイル基材１３１は、例えば、ＰＩ（ポリイミド）等のフレキシブル基材である。コイル導体１３２はコイル基材１３１の上面に形成される。コイル導体１３２は線状導体パターンから構成される。コイル導体１３２は平面視でカバーガラス１１２を囲むように配置される。カバーガラス１１２は平面視でコイル導体１３２の開口面内に配置される。コイル導体１３２の巻回軸方向は上面部１１１の主面の法線方向と略同一である。コイル導体１３２の巻回軸方向はメタルリング１１３の巻回軸方向と略同一である。コイル導体１３２の端部は、アンテナ装置１３が用いられるシステムに応じて、通信回路、送電回路、受電回路（共に図示せず）等に接続される。保護部材１３３は、コイル導体１３２を覆うようにコイル基材１３１の上面に設けられる。保護部材１３３はコイル導体１３２を保護する。保護部材１３３は、例えば、カバーレイフィルム、インクレジスト等である。
【００３３】
磁性部材１３４は、シート状であり、コイル基材１３１の下面に積層される。磁性部材１３４はケース１２５に当接する。磁性部材１３４は、例えば、樹脂に磁性フェライト粉を練り込んだもの、平板状の焼結体フェライトを樹脂フィルムで挟んだもの等である。磁性部材１３４の材料となる樹脂は、例えば、ＰＩ（ポリイミド）、ＰＥＴ（ポリエチレンテレフタレート）等である。粘着部材１３５は保護部材１３３の上面に積層される。粘着部材１３５によりアンテナ装置１３が筐体１１の上面部１１１の内側面に貼付される。粘着部材１３５は、例えば粘着テープ等である。
【００３４】
第１の実施形態では、カバーガラス１１２とレンズ１２３との間の空間１４がアンテナ装置１３により略密閉されるので、埃等の異物が空間１４に侵入しにくくなる。このため、埃等の異物がカバーガラス１１２の内側面やレンズ１２３に付着することを抑制できる。また、アンテナ装置１３は、クッション性を有し、かつ、筐体１１とケース１２５とで挟持されることで弾性変形する。このため、カバーガラス１１２とレンズ１２３との間の空間１４の密閉性は高い。
【００３５】
なお、第１の実施形態では、コイル基材１３１におけるコイル導体１３２が形成された第１主面が上面となるようにコイル基材１３１が配置される例を示したが、コイル基材１３１の第１主面が下面となるようにコイル基材１３１を配置してもよい。換言すると、コイル基材１３１、コイル導体１３２および保護部材１３３の積層順を逆にしてもよい。また、第１の実施形態では、保護部材１３３および磁性部材１３４を設ける例を示したが、電子機器１０の薄型化のために保護部材１３３および磁性部材１３４を省いてもよい。
【００３６】
《第２の実施形態》
第２の実施形態では、筐体とカメラモジュールのケースとの間にアンテナ装置の構成部材の一部が挟持される。図２は第２の実施形態に係る電子機器２０の模式的断面図である。アンテナ装置２３の内縁側では、磁性部材２３４および粘着部材２３５が積層される。アンテナ装置２３の外縁側では、コイル基材２３１、コイル導体２３２、保護部材２３３、磁性部材２３４および粘着部材２３５が積層される。磁性部材２３４および粘着部材２３５はカバーガラス１１２を囲むように配置される。コイル基材２３１は、平面視で、カバーガラス１１２、メタルリング１１３およびケース１２５を囲むように配置される。コイル導体２３２および保護部材２３３はコイル基材２３１の上面に設けられる。筐体１１の上面部１１１とケース１２５との間には、磁性部材２３４および粘着部材２３５のみが挟持される。
【００３７】
次に、第２の実施形態の変形例について説明する。第２の実施形態の変形例では、アンテナ装置が互いに分離した２つの部分から構成される。図３は第２の実施形態の変形例に係る電子機器３０の模式的断面図である。アンテナ装置３３の第１部分は、磁性部材３３４および粘着部材３３５ａが積層されてなる。アンテナ装置３３の第２部分は、コイル基材３３１、コイル導体３３２、保護部材３３３および粘着部材３３５ｂが積層されてなる。アンテナ装置３３の第１部分はカバーガラス１１２を囲むように配置される。アンテナ装置３３の第２部分はアンテナ装置３３の第１部分を囲むように配置される。アンテナ装置３３の第１部分とアンテナ装置３３の第２部分との間には、所定の隙間が設けられる。筐体１１の上面部１１１とケース１２５との間には、アンテナ装置３３の第１部分のみが挟持される。
【００３８】
第２の実施形態では、筐体１１の上面部１１１とケース１２５との間にアンテナ装置の構成部材の一部のみが挟持される。このため、筐体１１の上面部１１１とケース１２５との間にアンテナ装置の構成部材の全てが挟持される場合に比べて、筐体１１の上面部１１１からカメラモジュール１２の下面までの距離が短くなるので、電子機器を薄型化できる。
【００３９】
《第３の実施形態》
第３の実施形態では、平面視でメタルリングの鍔とコイル導体が重ならない。図４は第３の実施形態に係る電子機器４０の模式的断面図である。メタルリング４１３は、筒状部４１３１を有する。メタルリング４１３の筒状部４１３１の第１端部は、筐体４１の上面部１１１の開口部の端面とカバーガラス１１２の端面との間に配置される。メタルリング４１３の筒状部４１３１の第２端部は筐体４１内に配置される。メタルリング４１３は、その筒状部４１３１の第２端部から径方向に延出する鍔４１３２を有する。メタルリング４１３の鍔４１３２は、メタルリング４１３を筐体４１の上面部１１１に固定するために用いられる。メタルリング４１３の鍔４１３２は粘着部材４１４により筐体４１の上面部１１１の内側面に貼付される。
【００４０】
アンテナ装置４３のコイル基材１３１は、粘着部材４３５ａによりメタルリング４１３に貼付され、粘着部材４３５ｂにより筐体４１の上面部１１１に貼付される。コイル基材１３１の下面には、コイル導体４３２および保護部材４３３が設けられる。コイル導体４３２および保護部材４３３は、平面視で、カバーガラス１１２、メタルリング４１３およびケース１２５を囲むように配置される。コイル導体４３２とメタルリング４１３とは平面視で重ならない。メタルリング４１３の巻回軸方向に平面視した場合に、コイル導体４３２とメタルリング４１３とは重ならない位置に設けられている。筐体１１とケース１２５との間には、コイル基材１３１および粘着部材４３５ａが挟持される。
【００４１】
第３の実施形態では、メタルリング４１３に鍔４１３２を設けることでメタルリング４１３が厚くなるが、筐体４１とケース１２５との間にアンテナ装置４３の構成部材の一部のみが挟持される。このため、メタルリング４１３に鍔４１３２があっても、電子機器を薄型化できる。また、平面視でアンテナ装置のコイル導体と他の金属部材とが重なると、アンテナ装置の特性が劣化する。第３の実施形態では、メタルリング４１３に鍔４１３２があっても、平面視でメタルリング４１３とコイル導体４３２とが重ならないので、アンテナ装置の特性が劣化することを抑制できる。
【００４２】
《第４の実施形態》
第４の実施形態では、カバーガラスとレンズとの間の空間の密閉性を高めるためにクッション部材が設けられる。図５は第４の実施形態に係る電子機器５０の模式的断面図である。アンテナ装置５３は、コイル基材１３１の下面に接着されたスポンジ等のクッション部材５３６を有する。クッション部材５３６は平面視でカバーガラス１１２を囲むように配置される。クッション部材５３６に形成された開口部の形状は、平面視でカバーガラス１１２の形状に略一致する。クッション部材５３６はコイル基材１３１とケース１２５との間に挟持されて弾性変形する。
【００４３】
第４の実施形態では、クッション部材５３６がコイル基材１３１とケース１２５との間の空間に合わせて弾性変形する。このため、アンテナ装置５３とケース１２５との間に隙間が生じにくくなるので、カバーガラス１１２とレンズ１２３との間の空間１４の密閉性を高めることができる。また、空間１４をクッション部材のみで密閉する場合に比べて、クッション部材を小さくできる。
【００４４】
《第５の実施形態》
第５の実施形態では、コイル導体に接続されない、または１箇所のみで接続される電極が平面視でメタルリングに重なるように設けられる。図６は第５の実施形態に係る電子機器６０の模式的断面図である。アンテナ装置６３は、コイル導体４３２に接続されない電極６３７を有する。電極６３７はコイル基材１３１の下面に形成される。電極６３７は平面視でメタルリング４１３に重なる。メタルリング４１３の巻回軸方向に平面視した場合に、電極６３７とメタルリング４１３とは重なる位置に設けられている。電極６３７に形成された開口部の形状は、平面視でメタルリング４１３の開口部の形状に略一致する。電極６３７は平面視でメタルリング４１３内に配置される。保護部材６３３は、電極６３７およびコイル導体４３２を覆うようにコイル基材１３１の下面の略全面に設けられる。筐体１１とケース１２５との間には、コイル基材１３１、電極６３７、保護部材６３３および粘着部材４３５ａが挟持される。なお、電極６３７はコイル導体４３２に１箇所のみで接続されてもよい。
【００４５】
第５の実施形態では、平面視でメタルリング４１３と重なるように、コイル導体４３２に２箇所以上で直流的に接続されない電極６３７が設けられる。つまり、電極６３７がコイル導体４３２のコイルの一部とはならないように、コイル導体４３２と電極６３７とは直流的に接続されていない、または１箇所のみで直流的に接続されている。コイル導体を含むアンテナ装置は、コイル導体に導電性の部材が近接するとアンテナ装置の周波数特性が変化するが、第５の実施形態では、あらかじめコイル導体４３２に近接するように電極６３７が配置されているため、アンテナ装置６３を筐体４１内に実装したときに、メタルリング４１３によりアンテナ装置６３の周波数特性等が変動することを抑制できる。
【００４６】
《第６の実施形態》
図７（Ａ）は第６の実施形態に係る電子機器７０の模式的断面図である。図７（Ｂ）は第６の実施形態に係るメタルリング７１３の模式的平面図である。筐体７１に設けられたメタルリング７１３には、その外縁から内縁に達する切れ込みが設けられる。メタルリング７１３は平面視で略「Ｃ」形状である。これにより、アンテナ装置４３を使用する際、コイル導体４３２が磁界を発生させても、メタルリング７１３に渦電流が流れない。このため、メタルリング７１３からコイル導体４３２が発生させる磁界を相殺させる不要磁界が発生しないので、コイル導体４３２が生成する磁界の広がりが阻害されない。従って、アンテナ装置４３の実効的なアンテナ開口が広くなる。
【００４７】
次に、第６の実施形態の変形例について説明する。第６の実施形態の変形例では、メタルリングに切れ込みがあり、カメラモジュールのケースが導電性を有し、さらに、平面視でメタルリングに重なる磁性部材が設けられる。図８は第６の実施形態の変形例に係る電子機器８０の模式的断面図である。アンテナ装置８３は、コイル基材１３１の下面に設けられた磁性部材８３４を有する。磁性部材８３４とメタルリング７１３は平面視で重なる。メタルリング７１３の巻回軸方向に平面視した場合に、磁性部材８３４はメタルリング７１３と重なる位置に設けられている。磁性部材８３４およびメタルリング７１３の形状は、平面視で互いに略一致する。磁性部材８３４は平面視でカバーガラス１１２を囲むように配置される。磁性部材８３４に形成された開口部の形状は、平面視でカバーガラス１１２の形状に略一致する。カメラモジュール８２のケース８２５は導電性を有する。筐体７１とケース８２５との間には、コイル基材１３１、磁性部材８３４および粘着部材４３５ａが挟持される。
【００４８】
メタルリングに切れ込みがある場合、アンテナ装置の使用時にコイル導体が発生させる磁界がメタルリングの開口部を通ってケース側に向かう。これにより、ケースに渦電流が流れて電力損失が生じる。第６の実施形態では、平面視でメタルリング７１３と重なるように磁性部材８３４が配置されることで、メタルリング７１３の開口部を通ってケース８２５に向かう磁界が抑制される。このため、アンテナ装置８３の使用時における電力損失が低減される。
【００４９】
《第７の実施形態》
第７の実施形態では、回路基板上のコンタクトプローブ（スプリングピン）とコイル導体とが接続される。図９（Ａ）は第７の実施形態に係る電子機器９０の模式的平面図である。図９（Ｂ）は第７の実施形態に係る電子機器９０の模式的Ａ−Ａ断面図である。図９（Ａ）では、筐体４１、粘着部材４３５ａ，４３５ｂおよび保護部材４３３（共に図４参照）の図示を省略している。図９（Ａ）および図９（Ｂ）では、回路基板９４１に設けられた回路の図示を省略している。
【００５０】
筐体４１には回路基板９４１が収納される。回路基板９４１は略矩形平板状である。回路基板９４１はその短辺の略中央に切欠きを有する。回路基板９４１は、その主面が筐体の上面部の主面に対向するように配置される。回路基板９４１の切欠きにより生じた空間には、カメラモジュール１２が配置される。回路基板９４１の上面には、回路基板９４１の回路に接続されたコンタクトプローブ９４２が設けられる。コイル導体４３２の各端部は端子電極４３８に接続される。コンタクトプローブ９４２の先端が端子電極４３８に接触することで、コンタクトプローブ９４２とコイル導体４３２とが接続される。なお、回路基板９４１にはグランド導体パターン（図示せず）が設けられている。また、コイル導体４３２の回路基板９４１側には磁性部材が設けられていないのが望ましい。これにより、コイル導体４３２から回路基板９４１のグランド導体パターン側に向かう磁界が抑制されないので、回路基板９４１のグランド導体パターンをアンテナ装置４３のブースターとして使用できる。
【００５１】
次に、第７の実施形態の変形例について説明する。第７の実施形態の変形例では、アンテナ装置のコイル導体と磁界結合するチップインダクタが設けられる。図１０（Ａ）は第７の実施形態の変形例に係る電子機器１００の模式的平面図である。図１０（Ｂ）は第７の実施形態の変形例に係る電子機器１００の模式的Ａ−Ａ断面図である。図１０（Ａ）では、筐体４１、粘着部材４３５ａ，４３５ｂおよび保護部材４３３（共に図４参照）の図示を省略している。図１０（Ａ）および図１０（Ｂ）では、回路基板９４１に設けられた回路の図示を省略している。
【００５２】
アンテナ装置１０３は、両端が接続された矩形スパイラル状のコイル導体１０３２を有する。なお、コイル導体１０３２の代わりに、コイル導体の両端間に共振用のチップコンダクタが接続されたものを用いてもよい。回路基板９４１の上面には、チップインダクタ１０４３が設けられる。チップインダクタ１０４３は本発明の「結合コイル」である。チップインダクタ１０４３とコイル導体１０３２とは磁界結合する。チップインダクタ１０４３は、回路基板９４１に設けられた給電回路（図示せず）に接続される。チップインダクタ１０４３は筐体４１に収納される。チップインダクタ１０４３は回路基板９４１の切欠きの縁付近に配置される。チップインダクタ１０４３は、その巻回軸が回路基板９４１の上面と平行になるように配置される。チップインダクタ１０４３は、平面視で、チップインダクタ１０４３の巻回軸がアンテナ装置１０３側を向くように配置される。なお、チップインダクタ１０４３とコイル導体１０３２とは、磁界を介して結合するだけでなく、さらに浮遊容量を介して結合してもよい。
【００５３】
なお、上述の実施形態では、電子機器の一例としてカメラモジュールが組み込まれたものを示したが、電子機器は、赤外線センサ、紫外線センサ、フラッシュ等が組み込まれたものでもよい。即ち、電子機器は、電波よりも波長が短い赤外線、紫外線または可視光線の少なくとも何れかを扱う受光素子または発光素子を有する光学モジュールを備えればよい。また、筐体には、電子機器に組み込まれる光学モジュールに応じて、赤外線、紫外線または可視光線の少なくとも何れかを透過する透光窓が設けられればよい。
【００５４】
また、上述の実施形態では、アンテナ装置が筐体に貼付される例を示したが、アンテナ装置は、筐体またはケースの少なくとも何れかに貼付されればよい。
【００５５】
また、上述の実施形態では、アンテナ装置のコイル導体がコイル基材上の導体パターンで構成される例を示したが、アンテナ装置のコイル導体は巻線から構成されてもよい。
【符号の説明】
【００５６】
１０，２０，３０，４０，５０，６０，７０，８０，９０，１００…電子機器
１１，４１，７１…筐体
１２，８２…カメラモジュール（光学モジュール）
１３，２３，３３，４３，５３，６３，８３，１０３…アンテナ装置
１４…空間
１１１…上面部
１１２…カバーガラス（透光窓）
１１３，４１３，７１３…メタルリング（環状導電性部材）
１２１…センサ基材
１２２…イメージセンサ（光学素子）
１２３…レンズ
１２５，８２５…ケース
１２６…駆動用コイル
１３１，２３１，３３１…コイル基材（絶縁性基材）
１３２，２３２，３３２，４３２，１０３２…コイル導体
１３３，２３３，３３３，４３３，６３３…保護部材
１３４，２３４，３３４，８３４…磁性部材
１３５，２３５，３３５ａ，３３５ｂ，４１４，４３５ａ，４３５ｂ…粘着部材
４３８…端子電極
５３６…クッション部材
６３７…電極
９４１…回路基板
９４２…コンタクトプローブ
１０４３…チップインダクタ（結合コイル）
４１３１…筒状部
４１３２…鍔
【図１】
0006677023.tif 000002
【図２】
0006677023.tif 000003
【図３】
0006677023.tif 000004
【図４】
0006677023.tif 000005
【図５】
0006677023.tif 000006
【図６】
0006677023.tif 000007
【図７】
0006677023.tif 000008
【図８】
0006677023.tif 000009
【図９】
0006677023.tif 000010
【図１０】
0006677023.tif 000011